(57)【要約】【課題】双方向定電流装置及びそれを使用したＬＥＤランプの提供。【解決手段】このＬＥＤランプは、電源とＬＥＤの間に接続されて安定した正方向及び負方向電流をＬＥＤに供給する。該双方向定電流装置は電源とＬＥＤの間に接続された一対の、対向方式或いは背向方式で直列に接続された電流源と、この一対の電流源に並列に接続された二つの保護素子を包含する。【選択図】図１
2010263628.tif 000002
【特許請求の範囲】
【請求項１】
負荷に電流を提供するための双方向定電流装置において、
第１接続端及び第２接続端、
該第１接続端及び該第２接続端の間に直列に接続された第１電流源及び第２電流源、
該第１電流源と並列に接続された第１保護素子、
該第２電流源と並列に接続された第２保護素子、
以上を包含し、第１状態において、該第１電流源及び該第２保護素子は該第１接続端より該第２接続端に向けて流れる第１電流を形成し、該負荷に提供し、第２状態において、該第２電流源及び該第１保護素子は該第２接続端より該第１接続端に向けて流れる第２電流を形成し、該負荷に提供することを特徴とする双方向定電流装置。
【請求項２】
請求項１記載の双方向定電流装置において、該第１電流源及び該第２電流源は電流方向が背向するように直列に接続されることを特徴とする双方向定電流装置。
【請求項３】
請求項１記載の双方向定電流装置において、該第１電流源及び該第２電流源は電流方向が対向するように直列に接続されることを特徴とする双方向定電流装置。
【請求項４】
請求項１記載の双方向定電流装置において、該第１電流源は該第２状態でオフされることを特徴とする双方向定電流装置。
【請求項５】
請求項１記載の双方向定電流装置において、該第２電流源は該第１状態でオフされることを特徴とする双方向定電流装置。
【請求項６】
請求項１記載の双方向定電流装置において、該第１保護素子は該第１状態で切断されることを特徴とする双方向定電流装置。
【請求項７】
請求項１記載の双方向定電流装置において、該第２保護素子は該第２状態で切断されることを特徴とする双方向定電流装置。
【請求項８】
請求項１記載の双方向定電流装置において、該第１保護素子は該第２状態で該第１電流源にバイパスすることを特徴とする双方向定電流装置。
【請求項９】
請求項１記載の双方向定電流装置において、該第２保護素子は該第１状態で該第２電流源にバイパスすることを特徴とする双方向定電流装置。
【請求項１０】
請求項１記載の双方向定電流装置において、該第１保護素子はダイオードを包含することを特徴とする双方向定電流装置。
【請求項１１】
請求項１記載の双方向定電流装置において、該第２保護素子はダイオードを包含することを特徴とする双方向定電流装置。
【請求項１２】
請求項１記載の双方向定電流装置において、該第１電流と該第２電流の大きさが等しいことを特徴とする双方向定電流装置。
【請求項１３】
請求項１記載の双方向定電流装置において、該第１電流と該第２電流の大きさが異なることを特徴とする双方向定電流装置。
【請求項１４】
請求項１記載の双方向定電流装置において、該第１電流源は、
正電圧端と負電圧端、
該正電圧端と該負電圧端の間に直列に接続された第１トランジスタ及び第２トランジスタ、
該正電圧端と該第１トランジスタの制御電極の間に接続された抵抗、
該第１トランジスタの制御電極と該負電圧端の間に接続されたツェナダイオード、
該第２トランジスタの制御電極に接続された制御回路、
以上を包含することを特徴とする双方向定電流装置。
【請求項１５】
請求項１記載の双方向定電流装置において、該第２電流源は、
正電圧端と負電圧端、
該正電圧端と該負電圧端の間に直列に接続された第１トランジスタ及び第２トランジスタ、
該正電圧端と該第１トランジスタの制御電極の間に接続された抵抗、
該第１トランジスタの制御電極と該負電圧端の間に接続されたツェナダイオード、
該第２トランジスタの制御電極に接続された制御回路、
以上を包含することを特徴とする双方向定電流装置。
【請求項１６】
ＬＥＤランプにおいて、
電源と接続される第１電源入力端及び第２電源入力端、
ＬＥＤ負荷、
該第１電源入力端及び第２電源入力端の間に該ＬＥＤ負荷と直列に接続された双方向定電流装置、
以上を包含し、第１状態において、第１方向の電流を該ＬＥＤ負荷に提供し、第２状態で第２方向の電流を該ＬＥＤ負荷に提供することを特徴とするＬＥＤランプ。
【請求項１７】
請求項１６記載のＬＥＤランプにおいて、該双方向定電流装置が、
直列に接続された第１電流源及び第２電流源、
該第１電流源と並列に接続された第１保護素子、
該第２電流源と並列に接続された第２保護素子、
以上を包含し、該第１状態において、該第１電流源及び該第２保護素子は該第１方向の電流を形成し、該第２状態において、該第２電流源及び該第１保護素子は該第２方向の電流を形成することを特徴とするＬＥＤランプ。
【請求項１８】
請求項１６記載のＬＥＤランプにおいて、該第１電流源及び該第２電流源は電流方向が背向するように直列に接続されることを特徴とするＬＥＤランプ。
【請求項１９】
請求項１６記載のＬＥＤランプにおいて、該第１電流源及び該第２電流源は電流方向が対向するように直列に接続されることを特徴とするＬＥＤランプ。
【請求項２０】
請求項１６記載のＬＥＤランプにおいて、該第１電流源は該第２状態でオフされることを特徴とするＬＥＤランプ。
【請求項２１】
請求項１６記載のＬＥＤランプにおいて、該第２電流源は該第１状態でオフされることを特徴とするＬＥＤランプ。
【請求項２２】
請求項１６記載のＬＥＤランプにおいて、該第１保護素子は該第１状態で切断されることを特徴とするＬＥＤランプ。
【請求項２３】
請求項１６記載のＬＥＤランプにおいて、該第２保護素子は該第２状態で切断されることを特徴とするＬＥＤランプ。
【請求項２４】
請求項１６記載のＬＥＤランプにおいて、該第１保護素子は該第２状態で該第１電流源にバイパスすることを特徴とするＬＥＤランプ。
【請求項２５】
請求項１６記載のＬＥＤランプにおいて、該第２保護素子は該第１状態で該第２電流源にバイパスすることを特徴とするＬＥＤランプ。
【請求項２６】
請求項１６記載のＬＥＤランプにおいて、該第１保護素子はダイオードを包含することを特徴とするＬＥＤランプ。
【請求項２７】
請求項１６記載のＬＥＤランプにおいて、該第２保護素子はダイオードを包含することを特徴とするＬＥＤランプ。
【請求項２８】
請求項１６記載のＬＥＤランプにおいて、該第１電流と該第２電流の大きさが等しいことを特徴とするＬＥＤランプ。
【請求項２９】
請求項１６記載のＬＥＤランプにおいて、該第１電流と該第２電流の大きさが異なることを特徴とするＬＥＤランプ。
【請求項３０】
請求項１６記載のＬＥＤランプにおいて、該第１電流源は、
正電圧端と負電圧端、
該正電圧端と該負電圧端の間に直列に接続された第１トランジスタ及び第２トランジスタ、
該正電圧端と該第１トランジスタの制御電極の間に接続された抵抗、
該第１トランジスタの制御電極と該負電圧端の間に接続されたツェナダイオード、
該第２トランジスタの制御電極に接続された制御回路、
以上を包含することを特徴とするＬＥＤランプ。
【請求項３１】
請求項１６記載のＬＥＤランプにおいて、該第２電流源は、
正電圧端と負電圧端、
該正電圧端と該負電圧端の間に直列に接続された第１トランジスタ及び第２トランジスタ、
該正電圧端と該第１トランジスタの制御電極の間に接続された抵抗、
該第１トランジスタの制御電極と該負電圧端の間に接続されたツェナダイオード、
該第２トランジスタの制御電極に接続された制御回路、
以上を包含することを特徴とするＬＥＤランプ。
【請求項３２】
請求項１６記載のＬＥＤランプにおいて、該ＬＥＤ負荷は、
第１接続端と第２接続端、
該第１接続端と該第２接続端の間に直列に接続された複数対のＬＥＤであって、各対のＬＥＤは該第１方向に配置されたＬＥＤと該第２方向に配置されたＬＥＤを包含する、上記複数対のＬＥＤ、
以上を包含することを特徴とするＬＥＤランプ。
【請求項３３】
請求項１６記載のＬＥＤランプにおいて、該ＬＥＤ負荷は、
第１接続端と第２接続端、
該第１方向に配置された第１列のＬＥＤであって、該第１接続端と該第２接続端の間に接続された上記第１列のＬＥＤ、
該第２方向に配置された第２列のＬＥＤであって、該第１接続端と該第２接続端の間に接続された上記第２列のＬＥＤ、
以上を包含することを特徴とするＬＥＤランプ。
【請求項３４】
請求項１６記載のＬＥＤランプにおいて、該ＬＥＤ負荷は、
第１接続端と第２接続端、
該第１接続端と該第２接続端の間に接続されたＬＥＤブリッジであって、該第１方向に配置された複数の第１ＬＥＤと、該第２方向に配置された複数の第２ＬＥＤとを包含する、上記ＬＥＤブリッジ、
以上を包含することを特徴とするＬＥＤランプ。
【請求項３５】
請求項１６記載のＬＥＤランプにおいて、該ＬＥＤ負荷は、交流ＬＥＤチップを包含することを特徴とするＬＥＤランプ。
【請求項３６】
請求項１６記載のＬＥＤランプにおいて、それぞれ該第１電源入力端と該第２電源入力端に接続された二つの電極を具えた口金を包含することを特徴とするＬＥＤランプ。
【請求項３７】
請求項３６記載のＬＥＤランプにおいて、該口金に固定されたバルブを包含することを特徴とするＬＥＤランプ。
【発明の詳細な説明】
【技術分野】
【０００１】
本発明は一種のＬＥＤランプに係り、特に一種のＬＥＤランプに用いられる双方向定電流装置に関する。
【背景技術】
【０００２】
直流ＬＥＤランプは整流回路或いは電源変換器で交流電源を直流電源に変換してＬＥＤに印加する必要があり、整流回路と電源変換器はいずれも大きなキャパシタンスと比較的大きなプリント回路板を必要とし、このために、直流ＬＥＤランプの体積は比較的大きくなり、製造コストも高くなる。交流ＬＥＤランプは抵抗を、交流電源と二つの相反する方向に配置されたＬＥＤの間に直列に接続し、交流電源の正の半周期に一つの方向のＬＥＤを点灯させ、負の半周期にもう一つの方向のＬＥＤを点灯させる。ただ一つの抵抗しか必要としないので、交流ＬＥＤランプの体積とコストのいずれも、直流ＬＥＤランプより小さい。
【０００３】
しかし、交流ＬＥＤランプは交流電源を直接ＬＥＤに印加するため、交流電源のサージがＬＥＤを焼損させる恐れがある。特に、市販されている交流電源は電圧供給が不安定である時、例えば、停電後に電力供給を回復する時や瞬間電圧降下後に正常電圧に回復する時、瞬間的に高電圧を発生し得て、非常にＬＥＤを焼損させやすい。
【０００４】
現在ある唯一の解決方法は、高抵抗値の直列抵抗を使用してＬＥＤ電流の最大値を制限する方法である。このような方式は非常に高い比率のパワーを抵抗に浪費し、且つ大量の熱を発生する。また、ＬＥＤの輝度はその駆動電流により決定し、ゆえに克服しがたい難題がある。比較的高い抵抗値の直列抵抗を使用すると、比較的高い保護を提供することはできるが、却ってＬＥＤ電流が比較的低くなり、このためＬＥＤランプのパワーが低くなる。反対に、比較的低い抵抗値の直列抵抗を使用するとＬＥＤ電流を高くすることができるが、ＬＥＤが焼損しやすくなる。
【０００５】
このほか、直列抵抗は適応性に欠け、ＬＥＤ電流の大きさは、電源電圧の大きさとＬＥＤの電気特性により変化し、ゆえに抵抗の抵抗値は非常に選択が難しい。また、ＬＥＤ電流の大きさは電源電圧の変化に伴い変化し、このためＬＥＤランプの輝度を制御することができない。
【発明の概要】
【発明が解決しようとする課題】
【０００６】
本発明の目的の一つは、ＬＥＤランプに用いられる一種の双方向定電流装置を提供することにある。
【０００７】
本発明の目的の一つは、一種のＬＥＤランプを提供することにある。
【課題を解決するための手段】
【０００８】
本発明によると、ＬＥＤランプは、電源との接続用の第１及び第２電源入力端、ＬＥＤ負荷及び双方向定電流装置を包含し、該双方向定電流装置と該ＬＥＤ負荷は該第１及び第２電源入力端の間に直列に接続される。該双方向定電流装置は第１状態にあって、第１方向の電流を該ＬＥＤ負荷に提供し、第２状態にあって第２方向の電流を該ＬＥＤ負荷に提供する。該双方向定電流装置は第１及び第２接続端、該第１及び第２接続端の間に直列に接続された第１及び第２電流源、該第１電流源と並列に接続された第１保護素子、該第２電流源と並列に接続された第２保護素子を包含する。そのうち、第１状態において、該第１電流源及び該第２保護素子は該第１接続端より該第２接続端に向けて流れる第１電流を形成し、該ＬＥＤ負荷に提供する。第２状態において、該第２電流源及び該第１保護素子は該第２接続端より該第１接続端に向けて流れる第２電流を形成し、該ＬＥＤ負荷に提供する。
【発明の効果】
【０００９】
本発明の双方向定電流装置は安定した双方向電流を提供してＬＥＤを点灯させ、ゆえにＬＥＤの輝度を制御して、ＬＥＤの焼損を防止でき、且つ本発明の双方向定電流装置はデュアルピンの集積回路中に整合され得て、ゆえに、大幅に占用の空間を減らすことができる。
【図面の簡単な説明】
【００１０】
【図１】本発明の双方向定電流装置を応用したＬＥＤランプ表示図である。
【図２】図１中の双方向定電流装置の第１実施例図である。
【図３】図２中の双方向定電流装置の入力端が正電圧に接続された時の動作表示図である。
【図４】図２中の双方向定電流装置の入力端が負電圧に接続された時の動作表示図である。
【図５】図１中の双方向定電流装置の第２実施例図である。
【図６】図５中の双方向定電流装置の入力端が正電圧に接続された時の動作表示図である。
【図７】図５中の双方向定電流装置の入力端が負電圧に接続された時の動作表示図である。
【図８】図２中の保護素子をダイオードとした実施例図である。
【図９】図８中の双方向定電流装置の入力端を正電圧に接続した時の動作表示図である。
【図１０】図８中の双方向定電流装置の入力端を負電圧に接続した時の動作表示図である。
【図１１】図５中の保護素子をダイオードとした実施例図である。
【図１２】図１１中の双方向定電流装置の入力端を正電圧に接続した時の動作表示図である。
【図１３】図１１中の双方向定電流装置の入力端を負電圧に接続した時の動作表示図である。
【図１４】図２から図１３中の定電流源の実施例図である。
【図１５】本発明の双方向定電流装置の電流電圧曲線図である。
【図１６】図１中のＬＥＤ負荷の実施例図である。
【図１７】本発明を運用する照明用のＬＥＤバルブ表示図である。
【図１８】図１７中のＬＥＤ負荷の実施例図である。
【図１９】図１７中のＬＥＤ負荷の実施例図である。
【発明を実施するための形態】
【００１１】
図１は本発明の双方向定電流装置１４を応用した交流ＬＥＤランプ１０を表示する。交流ＬＥＤランプ１０は、交流電源１３に接続された電源入力端１１及び１２を具え、交流ＬＥＤランプ１０中の双方向定電流装置１４は交流電源１３の提供する交流電圧ＶＡＣにより正方向電流ＩＰ及び負方向電流ＩＮを生成してＬＥＤ負荷１６に提供する。そのうち、該ＬＥＤ負荷１６は複数のＬＥＤを包含する。
【００１２】
図２には図１中の双方向定電流装置１４の第１実施例が示される。それは、背向方式で双方向定電流装置１４の第１接続端２０及び第２接続端２２の間に直列に接続された定電流源２４及び２６、該定電流源２４と並列に接続されて定電流源２４を保護する保護素子２８、定電流源２６と並列に接続されて定電流源２６を保護するもう一つの保護素子３０を包含する。定電流源２４及び２６及び保護素子２８及び３０は、デュアルピンの集積回路中に整合可能であり、これにより交流ＬＥＤランプ１０中にあって、双方向定電流装置１４の占有空間が非常に小さくなる。
【００１３】
図３及び図４には図２中の双方向定電流装置１４の動作が示される。図３を参照されたい。第１接続端２０上の電圧が正電圧である時、定電流源２４部分は逆方向バイアス電圧がかかり、電流ＩＰは保護素子２８より定電流源２６に流れ、保護素子３０は切断を形成する。これにより定電流源２６と保護素子２８は第１接続端２０から第２接続端２２に流れる電流ＩＰを形成する。図４を参照されたい。第１接続端２０上の電圧が負電圧である時、定電流源２６部分は逆方向バイアス電圧がかかり、電流ＩＮは保護素子３０より定電流源２４に流れ、保護素子２８は切断を形成する。これにより定電流源２４と保護素子３０は第２接続端２２から第１接続端２０に流れる電流ＩＮを形成する。
【００１４】
図５は図１中の双方向定電流装置１４の第２実施例を示す。それは定電流源２４及び２６及びそれぞれ定電流源２４及び２６を保護する保護素子２８及び３０を包含する。そのうち、定電流源２４及び２６は対向方式で、双方向定電流装置１４の第１接続端２０と第２接続端２２の間に直列に接続される。
【００１５】
図６及び図７は図５中の双方向定電流装置１４の動作を示す。図６を参照されたい。第１接続端２０上の電圧が正電圧の時、定電流源２６部分に逆方向バイアス電圧がかかり、電流ＩＰは定電流源２４より保護素子３０を通り第２接続端２２に流れ、保護素子２８は切断を形成し、定電流源２４と保護素子３０が第１接続端２０より第２接続端２２に流れる電流ＩＰを形成する。図７を参照されたい。第１接続端２０上の電圧が負電圧の時、定電流源２４部分に逆方向バイアス電圧がかかり、電流ＩＮは定電流源２６より保護素子２８を通り第１接続端２０に流れ、保護素子３０は切断を形成し、定電流源２６と保護素子２８が第２接続端２２より第１接続端２０に流れる電流ＩＮを形成する。
【００１６】
図８はダイオードを図２中の保護素子とした実施例を示す。そのうち、保護素子とされるダイオード３２のアノード及びカソードは、それぞれ定電流源２４の出力端と入力端に接続され、保護素子とされるダイオード３４のアノード及びカソードは、それぞれ定電流源２６の出力端と入力端に接続される。
【００１７】
図９及び図１０は図８中の双方向定電流装置１４の動作を表示する。図９を参照されたい。第１接続端２０上の電圧が正電圧の時、定電流源２４は逆方向バイアス状態にあり、ゆえに切断され、ダイオード３４は逆バイアス状態にあり、これにより切断状態に等しく、ダイオード３２は順バイアス状態にあり、ゆえに通路を形成し、これにより定電流源２６とダイオード３２が第１接続端２０より第２接続端２２に流れる電流ＩＰを形成する。図１０を参照されたい。第１接続端２０上の電圧が負電圧の時、定電流源２６は逆方向バイアス状態にあり、ゆえに切断され、ダイオード３２は逆バイアス状態にあり、これにより切断状態に等しく、ダイオード３４は順バイアス状態にあり、ゆえに通路を形成し、これにより定電流源２４とダイオード３５が第２接続端２２より第１接続端２０に流れる電流ＩＮを形成する。
【００１８】
図１１はダイオードを図５中の保護素子とした実施例を示す。そのうち、保護素子とされるダイオード３２のアノード及びカソードは、それぞれ定電流源２４の出力端と入力端に接続され、保護素子とされるダイオード３４のアノード及びカソードは、それぞれ定電流源２６の出力端と入力端に接続される。
【００１９】
図１２及び図１３は図１１中の双方向定電流装置１４の動作を表示する。図１２を参照されたい。第１接続端２０上の電圧が正電圧の時、定電流源２６は逆方向バイアス状態にあり、ゆえに切断され、ダイオード３２は逆バイアス状態にあり、これにより切断状態に等しく、ダイオード３４は順バイアス状態にあり、ゆえに通路を形成し、これにより定電流源２４とダイオード３４が第１接続端２０より第２接続端２２に流れる電流ＩＰを形成する。図１３を参照されたい。第１接続端２０上の電圧が負電圧の時、定電流源２４は逆方向バイアス状態にあり、ゆえに切断され、ダイオード３４は逆バイアス状態にあり、これにより切断状態に等しく、ダイオード３２は順バイアス状態にあり、ゆえに通路を形成し、これにより定電流源２６とダイオード３２が第２接続端２２より第１接続端２０に流れる電流ＩＮを形成する。
【００２０】
図２及び図５中の保護素子２８及び３０の方式は非常に多く、ダイオードを使用するほか、ＭＯＳトランジスタ、ＢＪＴトランジスタ或いはその他の、単方向にのみ電流を通過させる素子及び回路を使用できる。本発明の双方向定電流装置１４は直流ＬＥＤランプ中にも応用可能であり、直流ＬＥＤランプ中で、ただ直流電圧が双方向定電流装置１４に提供され、これにより双方向定電流装置１４はただ正方向電流ＩＰ或いは負方向電流ＩＮのみをＬＥＤ負荷に提供する。
【００２１】
図１４は図２から図１３中の定電流源の実施例を示す。そのうち、トランジスタＭ１及びＭ２も、正電圧端４２及び負電圧端４４の間に直列に接続され、抵抗Ｒ１は正電圧端４２及びトランジスタＭ１のゲート４６の間に接続され、ツェナダイオードＤ１がトランジスタＭ１のゲートと負電圧端４４の間に接続され、制御回路４０がトランジスタＭ２のゲートに接続されてトランジスタＭ２のゲート上の電圧をラッチし、そのうち制御回路４０は周知の技術であるため、その内部構造についての説明は行わない。
【００２２】
正電圧端４２の電圧が上昇する時、トランジスタＭ１のゲート４６の電圧ＶＡも上昇開始し、ツェナダイオードＤ１の関係により、電圧ＶＡは最後にあるレベル、例えば８．２Ｖに制限され、トランジスタＭ１は電圧ＶＡがあるスレショルド値より高くなる時に、ターンオフされ、これにより発生した電流Ｉは正電圧端よりトランジスタＭ１及びＭ２を通り負電圧端へと流れ、また制御回路４０は定電圧をトランジスタＭ２のゲートに提供し、これにより、電流Ｉは定電流とされる。
【００２３】
図１５は双方向定電流装置１４の電流電圧曲線を示す。図２を参照されたい。交流電圧ＶＡＣを双方向定電流装置１４の第１接続端２０に提供すると、交流電圧ＶＡＣの正半周期期間に、定電流源２６が安定した正方向電流ＩＰを提供し、第１象限の電流電圧曲線５０のようであり、交流電圧ＶＡＣの負半周期期間に、定電流源２４が安定した負方向電流ＩＮを提供し、第３象限の曲線５１のようである。
【００２４】
図１６は図１中のＬＥＤ負荷１６の実施例を示す。それは複数対のＬＥＤが第１接続端６４と第２接続端６６の間に直列に接続され、各一対のＬＥＤはＬＥＤ６０と配置方向がＬＥＤと反対であるＬＥＤ６２を包含する。そのうち各一つのＬＥＤ６０とＬＥＤ６２は並列に接続されている。交流電圧ＶＡＣの正半周期期間に、双方向定電流装置１４は正方向電流ＩＰを提供してＬＥＤ６２を点灯させ、交流電圧ＶＡＣの負半周期期間に、双方向定電流装置１４は負方向電流ＩＮを提供してＬＥＤ６０を点灯させる。双方向定電流装置１４が安定した正方向電流ＩＰと負方向電流ＩＮを提供するため、ＬＥＤ６０とＬＥＤ６２の輝度を安定させることができる。ＬＥＤ６０及び６２の輝度をアップさせる必要がある時は、さらに一つの双方向定電流装置１８を並列に接続し、図１６中の点線部分のようにすると、仮に各双方向定電流装置が２０ｍＡの電流を提供するとすれば、並列に接続された二つの双方向定電流装置１４及び１８は４０ｍＡの電流をＬＥＤ６０及び６２に提供できる。
【００２５】
本発明の双方向定電流装置１４は各種のＬＥＤランプ、例えば装飾用ランプ、指示ランプ及び照明用のＬＥＤランプ中に応用可能である。図１７は照明用のＬＥＤバルブを示し、それは、バルブ７２が口金７０に固定され、ＬＥＤバルブ中、ＬＥＤ負荷１６と双方向定電流装置１４が電極７４及び７６の間に直列に接続され、ＬＥＤ負荷１６はそれぞれ電極７４及び双方向定電流装置１４に接続されたピン７８及び８０を有する。口金７０が交流電源に接続される時、双方向定電流装置１４は双方向定電流ＩＰ及びＩＮを提供してＬＥＤ負荷１６を点灯させる。該ＬＥＤ負荷は、交流ＬＥＤチップとされ得る。
【００２６】
図１８は図１７中のＬＥＤ負荷１６の実施例を示す。それは複数の直列に接続されたＬＥＤ６０と複数の直列に接続されたＬＥＤ６２を包含する。ＬＥＤ６０とＬＥＤ６２の配置方向は互いに背向し、電流ＩＰは複数のＬＥＤ６０を通過して複数のＬＥＤ６０を点灯させ、電流ＩＰと反対方向の電流ＩＮは複数のＬＥＤ６２を通過して複数のＬＥＤ６２を点灯させる。
【００２７】
図１９は図１７のＬＥＤ負荷１６の実施例を示す。そのうち、ＬＥＤ６０、６２及び６８はＬＥＤブリッジを構成し、電流ＩＰはＬＥＤ６０及び複数の直列に接続されたＬＥＤ６８を通過してＬＥＤ６０及び６８を点灯させ、電流ＩＰと反対方向の電流ＩＮはＬＥＤ６２と複数の直列に接続されたＬＥＤ６８を通過してＬＥＤ６２及び６８を点灯させる。
【符号の説明】
【００２８】
１０  交流ＬＥＤランプ
１１  電源入力端
１２  電源入力端
１３  交流電源
１４  双方向定電流装置
１６  ＬＥＤ負荷
１８  双方向定電流装置
２０  第１接続端
２２  第２接続端
２４  定電流源
２６  定電流源
２８  保護素子
３０  保護素子
３２  ダイオード
３４  ダイオード
４０  制御回路
４２  正電圧端
４４  負電圧端
４６  ゲート
５０  電流電圧曲線
５１  電流電圧曲線
６０  ＬＥＤ
６２  ＬＥＤ
６４  第１接続端
６６  第２接続端
６８  ＬＥＤ
７０  口金
７２  バルブ
７４  電極
７６  電極
７８  ピン
８０  ピン
８２  ノード
８４  ノード
【図１】
2010263628.tif 000003
【図２】
2010263628.tif 000004
【図３】
2010263628.tif 000005
【図４】
2010263628.tif 000006
【図５】
2010263628.tif 000007
【図６】
2010263628.tif 000008
【図７】
2010263628.tif 000009
【図８】
2010263628.tif 000010
【図９】
2010263628.tif 000011
【図１０】
2010263628.tif 000012
【図１１】
2010263628.tif 000013
【図１２】
2010263628.tif 000014
【図１３】
2010263628.tif 000015
【図１４】
2010263628.tif 000016
【図１５】
2010263628.tif 000017
【図１６】
2010263628.tif 000018
【図１７】
2010263628.tif 000019
【図１８】
2010263628.tif 000020
【図１９】
2010263628.tif 000021